【手続補正書】
【提出日】平成28年11月22日(2016.11.22)
【手続補正１】
【補正対象書類名】明細書
【補正対象項目名】０１４７
【補正方法】変更
【補正の内容】
【０１４７】
項目３５．光学フィルムであって、
複屈折性基材と、
該基材によって支持されるプリズム層であって、同じプリズム方向に沿って延在する複数の隣り合った線形プリズムを備える主表面を有する、プリズム層と、
該基材と該プリズム層との間に配設された埋め込み構造化表面と、を備え、該埋め込み構造化表面はツール構造化表面からの微細複製によって作製され、該ツール構造化表面が、第１の電気メッキプロセスを使用して金属を電着することにより金属の第１の層を形成し、第１の平均粗度を有する該第１の層の主表面をもたらすことと、第２の電気メッキプロセスを使用して該第１の層上に該金属を電着することにより該第１の層の該主表面上に該金属の第２の層を形成し、該第１の平均粗度よりも小さい第２の平均粗度を有する該第２の層の主表面をもたらすことと、によって作製され、該第２の層の該主表面が該ツール構造化表面に対応する、光学フィルム。
本発明の実施態様の一部を以下の態様［１］−［６］に記載する。
［態様１］
光学フィルムであって、
複屈折性基材と、
前記基材によって支持されるプリズム層であって、同じプリズム方向に沿って延在する複数の隣り合った線形プリズムを備える主表面を有する、プリズム層と、
前記基材と前記プリズム層との間に配設され、隣接する構造体の間に隆起部が形成されるように配置された最密充填構造体を備える、埋め込み構造化表面であって、前記構造体の大きさが２つの直交面内方向に沿って制限される、埋め込み構造化表面と、を備え、
前記埋め込み構造化表面が、それぞれ第１及び第２の直交面内方向と関連付けられた第１及び第２のフーリエパワースペクトルによって特徴付け可能なトポグラフィーを有し、
前記第１のフーリエパワースペクトルが、ゼロ周波数に対応せず、かつ第１のベースラインを画定する２つの隣接する谷部分により境界を定められる１つ又はそれよりも多くの第１の周波数ピークを含む範囲で、いずれのそのような第１の周波数ピークも０．８未満の第１のピーク比を有し、前記第１のピーク比が、前記第１の周波数ピーク下面積で除した前記第１の周波数ピークと前記第１のベースラインとの間の面積に等しく、
前記第２のフーリエパワースペクトルが、ゼロ周波数に対応せず、かつ第２のベースラインを画定する２つの隣接する谷部分により境界を定められる１つ又はそれよりも多くの第２の周波数ピークを含む範囲で、いずれのそのような第２の周波数ピークも０．８未満の第２のピーク比を有し、前記第２のピーク比が、前記第２の周波数ピーク下面積で除した前記第２の周波数ピークと前記第２のベースラインとの間の面積に等しく、
前記埋め込み構造化表面が、平面図における２００ｍｍ／ｍｍ２未満の隆起部全長／単位面積を特徴とする、光学フィルム。
［態様２］
光学フィルムであって、
複屈折性基材と、
前記基材によって支持されるプリズム層であって、同じプリズム方向に沿って延在する複数の隣り合った線形プリズムを備える主表面を有する、プリズム層と、
前記基材と前記プリズム層との間に配設され、最密充填構造体を備える、埋め込み構造化表面であって、前記埋め込み構造化表面が、基準面及び該基準面に垂直な厚さ方向を画定する、埋め込み構造化表面と、を備え、
前記埋め込み構造化表面が、それぞれ第１及び第２の直交面内方向と関連付けられた第１及び第２のフーリエパワースペクトルによって特徴付け可能なトポグラフィーを有し、
前記第１のフーリエパワースペクトルが、ゼロ周波数に対応せず、かつ第１のベースラインを画定する２つの隣接する谷部分により境界を定められる１つ又はそれよりも多くの第１の周波数ピークを含む範囲で、いずれのそのような第１の周波数ピークも０．８未満の第１のピーク比を有し、前記第１のピーク比が、前記第１の周波数ピーク下面積で除した前記第１の周波数ピークと前記第１のベースラインとの間の面積に等しく、
前記第２のフーリエパワースペクトルが、ゼロ周波数に対応せず、かつ第２のベースラインを画定する２つの隣接する谷部分により境界を定められる１つ又はそれよりも多くの第２の周波数ピークを含む範囲で、いずれのそのような第２の周波数ピークも０．８未満の第２のピーク比を有し、前記第２のピーク比が、前記第２の周波数ピーク下面積で除した前記第２の周波数ピークと前記第２のベースラインとの間の面積に等しく、
前記最密充填構造体が、前記基準面内の等価円直径（ＥＣＤ）及び前記厚さ方向に沿った平均高さを特徴とし、各構造体のアスペクト比が、前記構造体の前記ＥＣＤで除した前記構造体の前記平均高さに等しく、
前記構造体の平均アスペクト比が０．１５未満である、光学フィルム。
［態様３］
光学フィルムであって、
複屈折性基材と、
前記基材によって支持されるプリズム層であって、同じプリズム方向に沿って延在する複数の隣り合った線形プリズムを備える主表面を有する、プリズム層と、
前記基材と前記プリズム層との間に配設され、湾曲したベース面を有する最密充填構造体を備える、埋め込み構造化表面と、を備え、
前記埋め込み構造化表面が、それぞれ第１及び第２の直交面内方向と関連付けられた第１及び第２のフーリエパワースペクトルによって特徴付け可能なトポグラフィーを有し、
前記第１のフーリエパワースペクトルが、ゼロ周波数に対応せず、かつ第１のベースラインを画定する２つの隣接する谷部分により境界を定められる１つ又はそれよりも多くの第１の周波数ピークを含む範囲で、いずれのそのような第１の周波数ピークも０．８未満の第１のピーク比を有し、前記第１のピーク比が、前記第１の周波数ピーク下面積で除した前記第１の周波数ピークと前記第１のベースラインとの間の面積に等しく、
前記第２のフーリエパワースペクトルが、ゼロ周波数に対応せず、かつ第２のベースラインを画定する２つの隣接する谷部分により境界を定められる１つ又はそれよりも多くの第２の周波数ピークを含む範囲で、いずれのそのような第２の周波数ピークも０．８未満の第２のピーク比を有し、前記第２のピーク比が、前記第２の周波数ピーク下面積で除した前記第２の周波数ピークと前記第２のベースラインとの間の面積に等しく、
前記埋め込み構造化表面が９５％未満の光学的ヘイズを提供する、光学フィルム。
［態様４］
光学フィルムであって、
複屈折性基材と、
前記基材によって支持されるプリズム層であって、同じプリズム方向に沿って延在する複数の隣り合った線形プリズムを備える主表面を有する、プリズム層と、
前記基材と前記プリズム層との間に配設され、最密充填構造体を備える、埋め込み構造化表面と、を備え、
前記埋め込み構造化表面が、それぞれ第１及び第２の直交面内方向と関連付けられた第１及び第２のフーリエパワースペクトルによって特徴付け可能なトポグラフィーを有し、
前記第１のフーリエパワースペクトルが、ゼロ周波数に対応せず、かつ第１のベースラインを画定する２つの隣接する谷部分により境界を定められる１つ又はそれよりも多くの第１の周波数ピークを含む範囲で、いずれのそのような第１の周波数ピークも０．８未満の第１のピーク比を有し、前記第１のピーク比が、前記第１の周波数ピーク下面積で除した前記第１の周波数ピークと前記第１のベースラインとの間の面積に等しく、
前記第２のフーリエパワースペクトルが、ゼロ周波数に対応せず、かつ第２のベースラインを画定する２つの隣接する谷部分により境界を定められる１つ又はそれよりも多くの第２の周波数ピークを含む範囲で、いずれのそのような第２の周波数ピークも０．８未満の第２のピーク比を有し、前記第２のピーク比が、前記第２の周波数ピーク下面積で除した前記第２の周波数ピークと前記第２のベースラインとの間の面積に等しく、
前記埋め込み構造化表面が、１０〜６０％の範囲内の光学的ヘイズ及び１０〜４０％の範囲内の光学的透明度を提供する、光学フィルム。
［態様５］
光学フィルムであって、
複屈折性基材と、
前記基材によって支持されるプリズム層であって、同じプリズム方向に沿って延在する複数の隣り合った線形プリズムを備える主表面を有する、プリズム層と、
前記基材と前記プリズム層との間に配設され、より大きな第１の構造体及びより小さな第２の構造体を備える、埋め込み構造化表面であって、前記第１及び第２の構造体の両方の大きさが２つの直交面内方向に沿って制限される、埋め込み構造化表面と、を備え、
前記第１の構造体が、前記埋め込み構造化表面上に不均一に配置され、
前記第２の構造体が、前記第１の構造体の間に最密充填されて不均一に分散され、
前記第１の構造体の平均の大きさが１５マイクロメートル超であり、前記第２の構造体の平均の大きさが１５マイクロメートル未満である、光学フィルム。
［態様６］
光学フィルムであって、
複屈折性基材と、
前記基材によって支持されるプリズム層であって、同じプリズム方向に沿って延在する複数の隣り合った線形プリズムを備える主表面を有する、プリズム層と、
前記基材と前記プリズム層との間に配設された埋め込み構造化表面と、を備え、前記埋め込み構造化表面がツール構造化表面からの微細複製によって作製され、前記ツール構造化表面が、第１の電気メッキプロセスを使用して金属を電着することにより前記金属の第１の層を形成し、第１の平均粗度を有する前記第１の層の主表面をもたらすことと、第２の電気メッキプロセスを使用して前記第１の層上に前記金属を電着することにより前記第１の層の前記主表面上に前記金属の第２の層を形成し、前記第１の平均粗度よりも小さい第２の平均粗度を有する前記第２の層の主表面をもたらすことと、によって作製され、前記第２の層の前記主表面が前記ツール構造化表面に対応する、光学フィルム。
【手続補正２】
【補正対象書類名】特許請求の範囲
【補正対象項目名】全文
【補正方法】変更
【補正の内容】
【特許請求の範囲】
【請求項１】
光学フィルムであって、
複屈折性基材と、
前記基材によって支持されるプリズム層であって、同じプリズム方向に沿って延在する複数の隣り合った線形プリズムを備える主表面を有する、プリズム層と、
前記基材と前記プリズム層との間に配設され、隣接する構造体の間に隆起部が形成されるように配置された最密充填構造体を備える、埋め込み構造化表面であって、前記構造体の大きさが２つの直交面内方向に沿って制限される、埋め込み構造化表面と、を備え、
前記埋め込み構造化表面が、それぞれ第１及び第２の直交面内方向と関連付けられた第１及び第２のフーリエパワースペクトルによって特徴付け可能なトポグラフィーを有し、
前記第１のフーリエパワースペクトルが、ゼロ周波数に対応せず、かつ第１のベースラインを画定する２つの隣接する谷部分により境界を定められる１つ又はそれよりも多くの第１の周波数ピークを含む範囲で、いずれのそのような第１の周波数ピークも０．８未満の第１のピーク比を有し、前記第１のピーク比が、前記第１の周波数ピーク下面積で除した前記第１の周波数ピークと前記第１のベースラインとの間の面積に等しく、
前記第２のフーリエパワースペクトルが、ゼロ周波数に対応せず、かつ第２のベースラインを画定する２つの隣接する谷部分により境界を定められる１つ又はそれよりも多くの第２の周波数ピークを含む範囲で、いずれのそのような第２の周波数ピークも０．８未満の第２のピーク比を有し、前記第２のピーク比が、前記第２の周波数ピーク下面積で除した前記第２の周波数ピークと前記第２のベースラインとの間の面積に等しく、
前記埋め込み構造化表面が、平面図における２００ｍｍ／ｍｍ２未満の隆起部全長／単位面積を特徴とする、光学フィルム。
【請求項２】
光学フィルムであって、
複屈折性基材と、
前記基材によって支持されるプリズム層であって、同じプリズム方向に沿って延在する複数の隣り合った線形プリズムを備える主表面を有する、プリズム層と、
前記基材と前記プリズム層との間に配設され、最密充填構造体を備える、埋め込み構造化表面であって、前記埋め込み構造化表面が、基準面及び該基準面に垂直な厚さ方向を画定する、埋め込み構造化表面と、を備え、
前記埋め込み構造化表面が、それぞれ第１及び第２の直交面内方向と関連付けられた第１及び第２のフーリエパワースペクトルによって特徴付け可能なトポグラフィーを有し、
前記第１のフーリエパワースペクトルが、ゼロ周波数に対応せず、かつ第１のベースラインを画定する２つの隣接する谷部分により境界を定められる１つ又はそれよりも多くの第１の周波数ピークを含む範囲で、いずれのそのような第１の周波数ピークも０．８未満の第１のピーク比を有し、前記第１のピーク比が、前記第１の周波数ピーク下面積で除した前記第１の周波数ピークと前記第１のベースラインとの間の面積に等しく、
前記第２のフーリエパワースペクトルが、ゼロ周波数に対応せず、かつ第２のベースラインを画定する２つの隣接する谷部分により境界を定められる１つ又はそれよりも多くの第２の周波数ピークを含む範囲で、いずれのそのような第２の周波数ピークも０．８未満の第２のピーク比を有し、前記第２のピーク比が、前記第２の周波数ピーク下面積で除した前記第２の周波数ピークと前記第２のベースラインとの間の面積に等しく、
前記最密充填構造体が、前記基準面内の等価円直径（ＥＣＤ）及び前記厚さ方向に沿った平均高さを特徴とし、各構造体のアスペクト比が、前記構造体の前記ＥＣＤで除した前記構造体の前記平均高さに等しく、
前記構造体の平均アスペクト比が０．１５未満である、光学フィルム。
【請求項３】
光学フィルムであって、
複屈折性基材と、
前記基材によって支持されるプリズム層であって、同じプリズム方向に沿って延在する複数の隣り合った線形プリズムを備える主表面を有する、プリズム層と、
前記基材と前記プリズム層との間に配設され、湾曲したベース面を有する最密充填構造体を備える、埋め込み構造化表面と、を備え、
前記埋め込み構造化表面が、それぞれ第１及び第２の直交面内方向と関連付けられた第１及び第２のフーリエパワースペクトルによって特徴付け可能なトポグラフィーを有し、
前記第１のフーリエパワースペクトルが、ゼロ周波数に対応せず、かつ第１のベースラインを画定する２つの隣接する谷部分により境界を定められる１つ又はそれよりも多くの第１の周波数ピークを含む範囲で、いずれのそのような第１の周波数ピークも０．８未満の第１のピーク比を有し、前記第１のピーク比が、前記第１の周波数ピーク下面積で除した前記第１の周波数ピークと前記第１のベースラインとの間の面積に等しく、
前記第２のフーリエパワースペクトルが、ゼロ周波数に対応せず、かつ第２のベースラインを画定する２つの隣接する谷部分により境界を定められる１つ又はそれよりも多くの第２の周波数ピークを含む範囲で、いずれのそのような第２の周波数ピークも０．８未満の第２のピーク比を有し、前記第２のピーク比が、前記第２の周波数ピーク下面積で除した前記第２の周波数ピークと前記第２のベースラインとの間の面積に等しく、
前記埋め込み構造化表面が９５％未満の光学的ヘイズを提供する、光学フィルム。
【請求項４】
光学フィルムであって、
複屈折性基材と、
前記基材によって支持されるプリズム層であって、同じプリズム方向に沿って延在する複数の隣り合った線形プリズムを備える主表面を有する、プリズム層と、
前記基材と前記プリズム層との間に配設され、最密充填構造体を備える、埋め込み構造化表面と、を備え、
前記埋め込み構造化表面が、それぞれ第１及び第２の直交面内方向と関連付けられた第１及び第２のフーリエパワースペクトルによって特徴付け可能なトポグラフィーを有し、
前記第１のフーリエパワースペクトルが、ゼロ周波数に対応せず、かつ第１のベースラインを画定する２つの隣接する谷部分により境界を定められる１つ又はそれよりも多くの第１の周波数ピークを含む範囲で、いずれのそのような第１の周波数ピークも０．８未満の第１のピーク比を有し、前記第１のピーク比が、前記第１の周波数ピーク下面積で除した前記第１の周波数ピークと前記第１のベースラインとの間の面積に等しく、
前記第２のフーリエパワースペクトルが、ゼロ周波数に対応せず、かつ第２のベースラインを画定する２つの隣接する谷部分により境界を定められる１つ又はそれよりも多くの第２の周波数ピークを含む範囲で、いずれのそのような第２の周波数ピークも０．８未満の第２のピーク比を有し、前記第２のピーク比が、前記第２の周波数ピーク下面積で除した前記第２の周波数ピークと前記第２のベースラインとの間の面積に等しく、
前記埋め込み構造化表面が、１０〜６０％の範囲内の光学的ヘイズ及び１０〜４０％の範囲内の光学的透明度を提供する、光学フィルム。